(57)【要約】【課題】  マスタ装置とスレーブ装置とが無線接続されるシステムにおいて、有線接続スレーブ装置側において、非有線接続スレーブ装置との無線接続可能性の判断と、その接続とが容易であり、また、無駄な消費電力を削減することができる無線有線切り替え方法を提供することを目的とするものである。【解決手段】  マスタ装置とスレーブ装置とが有線によって接続されている場合に、接続装置間の機能を、互いに通知する機能通知段階と、マスタ装置、スレーブ装置のうちの、片方の装置のみが具備する片方機能を検出する片方機能検出段階と、マスタ装置、スレーブ装置の双方の装置が具備する双方機能を検出する双方機能検出段階と、有線接続後に接続装置間の機能を通知し、双方機能のうちの一方の機能を停止し、片方機能のうちで使用しない機能を停止する停止段階とを有する。【選択図】  図１
2005159476.tif 000002
【特許請求の範囲】
【請求項１】
無線通信および有線通信が可能なマスタ装置とスレーブ装置とを有するシステムの通信切り換え方法において、
上記マスタ装置と上記スレーブ装置とが有線によって接続されている場合に、接続装置の機能を通知する機能通知段階と；
上記マスタ装置、上記スレーブ装置のうちの、片方の装置のみが具備する片方機能を検出する片方機能検出段階と；
上記マスタ装置、上記スレーブ装置の双方の装置が具備する双方機能を検出する双方機能検出段階と；
有線接続後に接続装置間の機能を通知し、上記双方機能のうちの一方の機能を停止し、上記片方機能のうちで使用しない機能を停止する停止段階と；
を有することを特徴とする通信切り換え方法。
【請求項２】
無線通信および有線通信が可能なマスタ装置と複数のスレーブ装置とを有するシステムの通信切り換え方法において、
上記マスタ装置と第１のスレーブ装置とが有線接続されている場合に、上記マスタ装置が無線接続している第２のスレーブ装置に関する情報に基づいて、上記マスタ装置または上記第１のスレーブ装置のいずれかの無線通信を停止することを特徴とする通信方法。
【請求項３】
請求項２において、
上記マスタ装置と上記第１のスレーブ装置とは、有線接続された場合には、上記マスタ装置と上記第１のスレーブ装置との間の無線接続を切断し、有線接続することを特徴とする通信方法。
【請求項４】
請求項２において、
上記マスタ装置の無線通信を停止する場合は、上記第１のスレーブ装置が新たなマスタ装置として、上記第２のスレーブ装置と無線接続することを特徴とする通信方法。
【請求項５】
請求項４において、
上記第１のスレーブ装置が新たなマスタ装置として、上記第２のスレーブ装置と無線接続する場合は、上記第１のスレーブ装置は、上記マスタ装置から通知された上記第２のスレーブ装置のアドレスを用いて、上記第２のスレーブ装置との無線接続を行うことを特徴とする通信方法。
【請求項６】
請求項２において、
上記マスタ装置から上記第１のスレーブ装置に、上記第２のスレーブ装置に関する機能情報を通知し、上記第１のスレーブ装置は、通知された上記第２のスレーブ装置に関する機能情報と、上記第１のスレーブ装置に関する機能情報とに基づいて、上記マスタ装置または上記第１のスレーブ装置のいずれが、上記第２のスレーブ装置と無線接続するかを判断することを特徴とする通信方法。
【請求項７】
請求項２において、
上記第１のスレーブ装置から上記マスタ装置に、上記第１のスレーブ装置に関する機能情報を通知し、上記マスタ装置は、通知された上記第１のスレーブ装置に関する機能情報と、上記マスタ装置に関する機能情報と、上記第２のスレーブ装置に関する機能情報とに基づいて、上記マスタ装置または上記第１のスレーブ装置のいずれが、上記第２のスレーブ装置と無線接続するかを判断することを特徴とする通信方法。
【請求項８】
無線通信および有線通信が可能な通信装置において、
他の装置と有線接続するための有線接続手段と；
上記有線接続手段により上記第１の装置と有線接続されている場合に、上記通信装置が無線接続している第２の装置に関する情報に基づいて、上記通信装置または上記第１の装置のいずれが、上記第２の装置と無線接続するかを判断する判断手段と；
を有することを特徴とする通信装置。
【請求項９】
請求項８において、
上記通信装置は、マスタ装置であり、上記第１の装置および上記第２の装置は、スレーブ装置であることを特徴とする通信装置。
【請求項１０】
請求項８において、
上記判断手段による判断に応じて、上記第１の装置に上記第２の装置に関する情報を通知する通知手段を有することを特徴とする通信装置。
【請求項１１】
請求項８において、
上記第１の装置から送られた、上記第１の装置に関する情報を受信する受信手段を有し、
上記判断手段は、上記通信装置に関する情報と、上記第２の装置に関する情報と、上記受信手段により受信した上記第１の装置に関する情報とに基づいて、上記通信装置または上記第１の装置のいずれが、上記第２の装置と無線接続するかを判断することを特徴とする通信装置。
【請求項１２】
請求項８において、
上記判断手段による判断に応じて、上記第２の装置との無線接続を切断することを特徴とする通信装置。
【請求項１３】
無線通信および有線通信が可能な通信装置において、
他の装置と有線接続するための有線接続手段と；
上記有線接続手段により上記第１の装置と有線接続されている場合に、上記第１の装置が無線接続している第２の装置に関する情報に基づいて、上記通信装置または上記第１の装置のいずれが、上記第２の装置と無線接続するかを判断する判断手段と；
を有することを特徴とする通信装置。
【請求項１４】
請求項１３において、
上記第１の装置は、マスタ装置であり、上記通信装置および第２の装置は、スレーブ装置であることを特徴とする通信装置。
【請求項１５】
請求項１３において、
上記第１の装置から送られた、上記第２の装置に関する情報を受信する受信手段を有し、
上記判断手段は、上記受信手段により受信した情報に基づいて、上記通信装置または上記第１の装置のいずれが、上記第２の装置と無線接続するかを判断することを特徴とする通信装置。
【請求項１６】
請求項１３において、
上記判断手段は、上記通信装置に関する情報と、上記第２の装置に関する情報と、上記第１の装置に関する情報とに基づいて、上記通信装置または上記第１の装置のいずれが、上記第２の装置と無線接続するかを判断することを特徴とする通信装置。
【請求項１７】
請求項１３において、
上記判断手段による判断に応じて、上記第１の装置に、上記第２の装置との無線接続の切断を要求することを特徴とする通信装置。
【請求項１８】
無線通信および有線通信が可能な通信装置の制御方法において、
第１の装置と有線接続されている場合に、上記通信装置が無線接続している第２の装置に関する情報に基づいて、上記通信装置または上記第１の装置のいずれが、上記第２の装置と無線接続するかを判断することを特徴とする通信装置の制御方法。
【請求項１９】
無線通信および有線通信が可能な通信装置の制御方法において、
第１の装置と有線接続されている場合に、上記第１の装置が無線接続している第２の装置に関する情報に基づいて、上記通信装置または上記第１の装置のいずれが、上記第２の装置と無線接続するかを判断することを特徴とする通信装置の制御方法。
【発明の詳細な説明】
【技術分野】
【０００１】
本発明は、無線通信および有線通信が可能な通信装置間、有線接続した場合に、他の装置と無線通信する際の技術に関する。
【背景技術】
【０００２】
第１の従来例として、携帯情報端末（ＰＤＡ）とパーソナルコンピュータ（ＰＣ）との間で、クレードルと呼ばれる接続台を経由し、有線接続し、分離した場合は、無線通信接続する第１の従来例が知られている（たとえば、特許文献１参照）。
【０００３】
この第１の従来例では、ＰＤＡが、接続台に設置されている場合、直接接続モードに設定し、ＰＤＡが接続台に接続されていない場合、無線データ通信手段を介して、データ通信する無線接続モードに設定する。
【０００４】
第２の従来例として、コネクタを介して、クレードルと表示装置とを接続し、クレードルと表示装置間の無線接続のためのアドレスと認証情報等を、コネクタ経由で通知するシステムが知られている（たとえば、特許文献２参照）。
【０００５】
この第２の従来例は、無線接続のためのアドレスと認証情報等を通知した後に、コネクタが分離されていることを検出し、無線通信へ切り替える。
【０００６】
また、有線接続時における装置間の機能を検出する方法、この検出結果に基づく機能を停止する方法については、特許文献２には記載されていない。
【特許文献１】特開２０００−１３８６９８号公報
【特許文献２】特開２００２−３１２１５５号公報
【発明の開示】
【発明が解決しようとする課題】
【０００７】
ここで、無線機能を内蔵しているＰＤＡからの制御によって、無線機能を内蔵しているカメラが画像撮影し、無線機能を内蔵しているハードディスクドライブ（ＨＤＤ）等の記録装置へ記録する場合を想定する。
【０００８】
各装置は、無線接続し、カメラがマスタ装置として動作し、ＰＤＡ、ＨＤＤが、スレーブ装置として動作し、互いに無線通信する。カメラとＰＤＡとを合体した場合、カメラとＰＤＡとの間は、スロットを介して、バス接続する。
【０００９】
この場合、カメラとＰＤＡは、有線接続しているので、カメラ、ＰＤＡ間の無線接続は不要になる。しかし、ＨＤＤとの無線接続は継続する必要があるので、従来例のように有線接続したことをトリガに、カメラとＰＤＡの両方の無線機能を停止することはできない。
【００１０】
つまり、従来は、３つ以上の装置が無線接続していた際に、２つの装置が有線接続した場合については考えられていない。
【００１１】
また、カメラとＰＤＡのいずれかが、ＨＤＤとの無線接続を行えばよいが、有線接続したことによって、通信形態が変わる（マスタ装置１つが２つのスレーブ装置と通信していた形態から、マスタ装置、スレーブ装置の１対１通信になる）ので、カメラ、ＰＤＡが所有する無線機能、操作性によって変わってくる。
【００１２】
また、通信形態の変更以外にも、各装置のバッテリ残量、伝送速度等によってり、カメラ、ＰＤＡのいずれがＨＤＤと無線接続した方が良いか変わってくる。
【００１３】
ＰＤＡが新たにマスタ装置になる場合、周辺デバイス情報を取得する動作から、再度始めなくてはならない。
【００１４】
さらに、装置を合体した場合には、無線機能以外にも、電池、表示部、入力部等、合体したデバイスで重複する部分の機能分担を、決定する必要があり、停止させる機能、継続させる機能の決定動作が煩雑である。
【００１５】
本発明は、通信装置が有線接続された場合に、不要な機能を停止できるようにすることを目的とする。
【００１６】
また、本発明は、無駄な消費電力を削減することを目的とするものである。
【課題を解決するための手段】
【００１７】
本発明は、無線通信および有線通信が可能なマスタ装置とスレーブ装置とを有するシステムの通信切り換え方法において、上記マスタ装置と上記スレーブ装置とが有線によって接続されている場合に、接続装置の機能を通知する機能通知段階と、上記マスタ装置、上記スレーブ装置のうちの、片方の装置のみが具備する片方機能を検出する片方機能検出段階と、上記マスタ装置、上記スレーブ装置の双方の装置が具備する双方機能を検出する双方機能検出段階と、有線接続後に接続装置間の機能を通知し、上記双方機能のうちの一方の機能を停止し、上記片方機能のうちで使用しない機能を停止する停止段階とを有することを特徴とする通信切り換え方法を提供する。
【００１８】
また、無線通信および有線通信が可能なマスタ装置と複数のスレーブ装置とを有するシステムの通信切り換え方法において、上記マスタ装置と第１のスレーブ装置とが有線接続されている場合に、上記マスタ装置が無線接続している第２のスレーブ装置に関する情報に基づいて、上記マスタ装置または上記第１のスレーブ装置のいずれかの無線通信を停止することを特徴とする通信方法を提供する。
【００１９】
また、無線通信および有線通信が可能な通信装置において、他の装置と有線接続するための有線接続手段と、上記有線接続手段により上記第１の装置と有線接続されている場合に、上記通信装置が無線接続している第２の装置に関する情報に基づいて、上記通信装置または上記第１の装置のいずれが上記第２の装置と無線接続するかを判断する判断手段とを有することを特徴とする通信装置を提供する。
【００２０】
また、無線通信および有線通信が可能な通信装置において、他の装置と有線接続するための有線接続手段と、上記有線接続手段により上記第１の装置と有線接続されている場合に、上記第１の装置が無線接続している第２の装置に関する情報に基づいて、上記通信装置または上記第１の装置のいずれが上記第２の装置と無線接続するかを判断する判断手段とを有することを特徴とする通信装置を提供する。
【００２１】
また、無線通信および有線通信が可能な通信装置の制御方法において、第１の装置と有線接続されている場合に、上記通信装置が無線接続している第２の装置に関する情報に基づいて、上記通信装置または上記第１の装置のいずれが上記第２の装置と無線接続するかを判断することを特徴とする通信装置の制御方法を提供する。
【００２２】
また、無線通信および有線通信が可能な通信装置の制御方法において、第１の装置と有線接続されている場合に、上記第１の装置が無線接続している第２の装置に関する情報に基づいて、上記通信装置または上記第１の装置のいずれが上記第２の装置と無線接続するかを判断することを特徴とする通信装置の制御方法を提供する。
【発明の効果】
【００２３】
本発明によれば、無線接続していた通信装置同士が有線接続された場合に、不要な機能を停止することができる。
【００２４】
また、無線接続していた通信装置同士が有線接続された場合の無駄な消費電力を削減するができる。
【００２５】
また、無線接続していた通信装置同士が有線接続された場合でも、他の装置との無線接続を安定して提供することができる。
【発明を実施するための最良の形態】
【００２６】
発明を実施するための最良の形態は、次の実施例である。
【実施例１】
【００２７】
図１は、本発明の実施例１である無線通信システムＣＳ１を示す図である。
【００２８】
無線通信システムＣＳ１は、カメラ１０と、ＰＤＡ２０と、ＨＤＤ３０とを有する。
【００２９】
無線通信におけるマスタ装置とスレーブ装置との関係は、データ転送方向を加味して決定する。本実施例では、ＰＤＡ２０が、無線通信によってカメラ１０を制御し、カメラ１０が撮影した画像データを、ＨＤＤ３０へ直接転送し、記録する。このために、カメラ１０がマスタ装置になり、ＰＤＡ２０とＨＤＤ３０とが、スレーブ装置として接続する。
【００３０】
図２は、図１におけるカメラ１０とＰＤＡ２０が合体した場合の無線通信装置ＣＳ１１を示す図である。
【００３１】
無線装置ＣＳ１１は、カメラ１０ＰとＰＤＡ２０Ｐとが、コネクタを介して互いに有線接続され、無線通信をＰＤＡ２０Ｐに集約した場合の接続構成を有する。
【００３２】
無線装置ＣＳ１１は、無線通信におけるマスタ装置として機能していたカメラ１０Ｐは、ＰＤＡ２０Ｐと合体したことによって、カメラ１０Ｐからの画像データが、コネクタを経由して、ＰＤＡ２０Ｐに送信されるので、カメラ１０ＰとＰＤＡ２０Ｐとの間における無線通信路が不要になり、カメラ１０Ｐ側の無線部を停止する。この場合、ＰＤＡ２０Ｐがマスタ装置となる。そして、カメラ１０Ｐが撮影した画像データは、コネクタを経由し、ＰＤＡ２０Ｐに転送され、ＰＤＡ２０Ｐの無線通信部を経由して、ＨＤＤ３０Ｐに送信、記録される。
【００３３】
図３は、実施例１において、各装置の無線通信部が保持し、使用することが可能なプロファイル一覧を示した図である。なお、「プロファイル」は、無線通信で使われる各手順とフォーマットとを仕様としてまとめたものである。通信する場合、物理的な仕様のほかに、通信する双方に同一プロファイルを有している必要がある。カメラ１０に内蔵されているＡｕｔｏｍａｔｉｃ  Ａｒｃｈｉｖｅ  Ｐｒｏｆｉｌｅ  １８ａは、Ｉｎｉｔｉａｔｏｒとして、ＨＤＤ３０に内蔵されている撮影画像データのＡｕｔｏｍａｔｉｃ  Ａｒｃｈｉｖｅ  Ｐｒｏｆｉｌｅ  ３８ａに、画像データの取り出しを要求する。Ａｕｔｏｍａｔｉｃ  Ａｒｃｈｉｖｅ  Ｐｒｏｆｉｌｅ  ３８ａは、Ｒｅｓｐｏｎｄｅｒとして、カメラ１０内に画像データがあると、画像データの受信要求をカメラ１０に行い、受信した画像データをＨＤＤ３０の記録部に格納する。
【００３４】
ＰＤＡ２０に内蔵されているＲｅｍｏｔｅ  Ｃａｍｅｒａ  Ｐｒｏｆｉｌｅ  ２８ｂは、Ｉｎｉｔｉａｔｏｒとして、カメラ１０に内蔵されているＲｅｍｏｔｅ  Ｃａｍｅｒａ  Ｐｒｏｆｉｌｅ  １８ｂに、カメラ動作の制御を要求する。
【００３５】
具体的には、カメラ１０が撮像したモニタ画像の転送と、画像撮影の要求（シャッタを押すことに相当）等を行う。Ｒｅｍｏｔｅ  Ｃａｍｅｒａ  Ｐｒｏｆｉｌｅ  １８ｂは、Ｒｅｓｐｏｎｄｅｒとして、カメラ１０の撮像部から、モニタ画像をＰＤＡ２０に送信し、画像撮影の要求を受けた場合は、解像度の高い画像を撮影する。
【００３６】
撮影後のデータは、Ａｕｔｏｍａｔｉｃ  Ａｒｃｈｉｖｅ  １８ａに従って、ハードディスク３０に記録される。
【００３７】
無線通信システムＣＳ１では、Ｆｉｌｅ  Ｔｒａｎｓｆｅｒ  Ｐｒｏｆｉｌｅ  ２８ｃと、Ｆｉｌｅ  Ｔｒａｎｓｆｅｒ  Ｐｒｏｆｉｌｅ  ３８ｃとを使用しない。
【００３８】
図４は、図２に示す無線通信システムＣＳ１１において、カメラ１０ＰとＰＤＡ２０Ｐとが、コネクタを介して、互いに有線接続され、無線通信を、ＰＤＡ２０Ｐに集約した場合に使用するプロファイルを示す図である。
【００３９】
無線通信システムＣＳ１１において、ＰＤＡ２０ＰとＨＤＤ３０Ｐは、共通するＦｉｌｅ  Ｔｒａｎｓｆｅｒ  Ｐｒｏｆｉｌｅを使用して通信する。カメラ１０Ｐが撮影した画像は、ＰＤＡ２０Ｐにファイルとして一時保存される。一時保存された画像ファイルは、Ｆｉｌｅ  Ｔｒａｎｓｆｅｒ  Ｐｒｏｆｉｌｅ  ２８ｃを使用し、ＨＤＤ３０Ｐに転送される。ＨＤＤ３０Ｐでは、Ｆｉｌｅ  Ｔｒａｎｓｆｅｒ  Ｐｒｏｆｉｌｅ  ３８ｃにて受信したファイルを記録部に記録する。
【００４０】
図４、図２に示す無線通信システムＣＳ１１においては、カメラ１０Ｐの無線機能は停止している状態であり、ＰＤＡ２０ＰとＨＤＤ３０Ｐとの間では共通でないＲｅｍｏｔｅ  Ｃａｍｅｒａ  Ｐｒｏｆｉｌｅ  ２８ｂと、Ａｕｔｏｍａｔｉｃ  Ａｒｃｈｉｖｅ  Ｐｒｏｆｉｌｅ  ３８ａとは、利用できないので使用しない。
【００４１】
図５は、無線通信システムＣＳ１におけるカメラ１０の内部構成を示す図である。
【００４２】
カメラ１０は、カメラ制御部１１と、撮像部１２と、入力部１３と、電池１４と、電源監視部１５と、有線通信部１６と、コネクタ１７と、無線通信部１８と、アンテナ１９とを有する。
【００４３】
カメラ制御部１１は、カメラ１０全体の制御を統括する機能を有し、物理的には、ＣＰＵと、制御プログラムが格納されているＲＯＭと、ＲＡＭ等によって構成されている。制御対象は、入力部１３からのシャッタ等のトリガをもとにした撮像部１２における画像撮影、撮影した画像データを有線または無線経由での出力、電源監視等である。
【００４４】
撮像部１２は、撮像素子（ＣＣＤ）と画像バッファメモリ等を含み、撮影した画像を、一時バッファメモリに保存した後に、カメラ制御部１１からの制御によって、有線または無線制御部を経由し、カメラ１０の外部に出力される。
【００４５】
入力部１３は、簡単なボタンであり、電源、シャッタ、カメラズーム等の操作を行う。
【００４６】
電池１４は、カメラ１０の全体の電力を供給する。場合によって、コネクタ１７を経由して外部に供給するようにしてもよく、また、外部から電力の供給を受けるようにしてもよい。
【００４７】
電源監視部１５は、電池容量を測定し、カメラ制御部１１に通知する。有線通信部１６は、コネクタ１７のコントローラの役割を果たし、コネクタの接続状況の監視も行い、この監視結果を、カメラ制御部１１に通知する。コネクタ１７は、複数の接続端子によって構成され、他の端末との間で、制御信号を受け渡し、画像データを送信し、電源線等が含まれる。
【００４８】
無線通信部１８は、無線通信に関する機能を有し、カメラ制御部から受信した信号を受け取り、ＲＦ信号に変調した後にアンテナに送信し、またアンテナから受けたＲＦ信号を復調し、カメラ制御部１１に渡す。Ａｕｔｏｍａｔｉｃ  Ａｒｃｈｉｖｅ  Ｐｒｏｆｉｌｅ  １８ａと、Ｒｅｍｏｔｅ  Ｃａｍｅｒａ  Ｐｒｏｆｉｌｅ  １８ｂとの機能も、無線通信部１８に含まれる。アンテナ１９は、ＲＦ信号の送受信を受け持つ。
【００４９】
図６は、無線通信システムＣＳ１におけるＰＤＡ２０の内部構成を示す図である。
【００５０】
ＰＤＡ２０は、ＰＤＡ制御部２１と、表示部２２と、入力部２３と、電池２４と、電源監視部２５と、有線通信部２６と、コネクタ２７と、無線通信部２８と、アンテナ２９とを有する。
【００５１】
ＰＤＡ制御部２１は、ＰＤＡ２０の全体の制御を統括し、物理的には、ＣＰＵと、制御プログラムが格納されているＲＯＭと、ＲＡＭ等によって構成され、入力部２３からのコマンドをもとにして表示部２２で描画し、入力したコマンドを有線または無線経由で出力し、電源監視等を行う。
【００５２】
表示部２２は、ＴＦＴディスプレイと、そのコントローラとを含み、カメラ制御等のコマンドの表示と、受信した画像データを表示する。
【００５３】
入力部２３は、タッチパネルおよびボタンであり、電源、ＰＤＡ２０操作、カメラ１０等の操作を行う。
【００５４】
電池２４は、ＰＤＡ２０の全体の電力を供給する。場合によっては、コネクタ２７を経由して外部に供給し、また、外部から電力の供給を受けるようにしてもよい。電源監視部２５は、電池容量を測定し、ＰＤＡ制御部２１に通知する。
【００５５】
有線通信部２６は、コネクタ２７のコントローラの役割を果たし、コネクタの接続状況を監視し、この監視結果を、ＰＤＡ制御部２１に通知する。
【００５６】
コネクタ２７は、複数の接続端子によって構成され、他の端末と制御信号を受け渡し、データの送受信を行い、電源線等をも含む。
【００５７】
無線通信部２８は、無線通信に関する機能を有し、ＰＤＡ制御部から受信した信号を、受け取り、ＲＦ信号に変調した後に、アンテナに送信し、またアンテナから受けたＲＦ信号を復調し、ＰＤＡ制御部２１に渡す。Ｆｉｌｅ  Ｔｒａｎｓｆｅｒ  Ｐｒｏｆｉｌｅ  ２８ｃと、Ｒｅｍｏｔｅ  Ｃａｍｅｒａ  Ｐｒｏｆｉｌｅ  ２８ｂとの機能も、無線通信部２８が含む。アンテナ２９は、ＲＦ信号の送受信を受け持つ。
【００５８】
図７は、ＨＤＤ３０の内部構成を示す図である。
【００５９】
ＨＤＤ３０は、ＨＤＤ制御部３１と、記録部３２と、入力部３３と、電池３４と、電源監視部３５と、有線通信部３６と、コネクタ３７と、無線通信部３８と、アンテナ３９とを有する。
【００６０】
ＨＤＤ制御部３１は、ＨＤＤ３０の全体の制御を統括し、物理的には、ＣＰＵと、制御プログラムが格納されているＲＯＭと、ＲＡＭ等によって構成され、入力部３３からの信号、有線または無線経由で受信した制御信号の解析と、データ信号の記録部３２における記録と、電源監視等を行う。
【００６１】
記録部３２は、ハードディスクドライブ（ＨＤＤ）と、そのコントローラとを含み、受信した画像データの記録、読み出し等を行う。
【００６２】
入力部３３は、ボタンであり、電源、ＨＤＤ全体の操作を行う。電池３４は、ＨＤＤ３０の全体の電力を供給する。場合によっては、コネクタ３７を経由し、外部に供給するようにしてもよく、また、外部から電力の供給を受けるようにしてもよい。
【００６３】
電源監視部３５は、電池容量を測定し、ＨＤＤ制御部３１に通知する。有線通信部３６は、コネクタ３７のコントローラの役割を果たし、コネクタの接続状況の監視も行い、この監視結果を、ＨＤＤ制御部３１に通知する。
【００６４】
コネクタ３７は、複数の接続端子によって構成され、他の端末との間で制御信号の受け渡し、データの送受信を行い、電源線等をも含む。
【００６５】
無線通信部３８は、無線通信に関する機能を有し、ＨＤＤ制御部から受信した信号を受け取り、ＲＦ信号に変調した後にアンテナに送信し、またアンテナから受けたＲＦ信号を復調し、ＨＤＤ制御部３１に渡す。Ｆｉｌｅ  Ｔｒａｎｓｆｅｒ  Ｐｒｏｆｉｌｅ  ３８ｃと、Ａｕｔｏｍａｔｉｃ  Ａｒｃｈｉｖｅ  Ｐｒｏｆｉｌｅ  ３８ａとの機能も、無線通信部３８が含む。アンテナ３９は、ＲＦ信号の送受信を受け持つ。
【００６６】
次に、実施例１の動作について説明する。
【００６７】
図８は、実施例１における動作を示すシーケンス図である。
【００６８】
まず、端末間の通信手順を説明する。
【００６９】
この前提として、図１および図３の状態、すなわち３つの端末が無線によって通信しているとする。この状態で、コネクタ１７と２７とを介して、カメラ１０とＰＤＡ２０とが接続される。この有線接続を検出した有線通信部１６と２６とは、カメラ制御部１１とＰＤＡ制御部２１とに通知する。
【００７０】
無線通信中のマスタ装置であるカメラ１０のカメラ制御部１１は、有線接続検出通知を受信すると、現在無線接続中であるスレーブ装置中、有線接続検出したスレーブ装置（ＰＤＡ２０）を除く端末情報（ＨＤＤ３０のアドレスとプロファイル情報など）を有線接続検出したスレーブ装置（ＰＤＡ２０）に、有線（コネクタ経由）で通知する（Ｓ４１）。
【００７１】
次いで、マスタ装置であるカメラ１０のプロファイル情報を、ＰＤＡ２０に有線で通知する（Ｓ４２）。ＰＤＡ２０側では、ＨＤＤとの接続可能性を判断し、接続可能時に、全無線接続の切断を、カメラ１０に有線で要求する（Ｓ４３）。全切断要求を受けたカメラ１０は、まず、非コネクタ接続端末であるＨＤＤ３０との無線接続から切断する（Ｓ４４）。最後に、ＰＤＡ２０との無線接続を切断する（Ｓ４５）。
【００７２】
切断を受けたＰＤＡ２０は、Ｓ４１で受信したＨＤＤ３０のアドレス、プロファイル情報に基づいて、ＨＤＤに接続要求する（Ｓ４６）。このときに、マスタ装置は、ＰＤＡ２０であり、スレーブ装置は、ＨＤＤ３０である。ＨＤＤ３０から、接続完了を受信し、図２、図４に示す接続状態を確立する（Ｓ４７）。
【００７３】
ここで、ＨＤＤ３０から先に切断する理由は、ＰＤＡ２０を先に切断すると、カメラ１０とＨＤＤ３０との無線接続が切断される前にＰＤＡ２０からＨＤＤ３０に接続要求が発生してしまう可能性があり、ＰＤＡ２０とＨＤＤ３０との無線接続が正常に行われない場合があるからである。また、全切断要求を出したＰＤＡ２０を最後に切断する方が障害発生時の対応が容易となるためである。
【００７４】
なお、Ｓ４２で受信したカメラ１０の情報は、ＰＤＡ２０からカメラ１０への無線接続と、ここに登場しない端末との接続を容易にするために利用する。
【００７５】
ついで、上記手順におけるカメラ１０の動作について用いて説明する。
【００７６】
図９は、カメラ１０の動作を示すフローチャートである。
【００７７】
有線通信部１６が、コネクタ接続を検出すると（Ｓ５１）、マスタ装置であるカメラ１０のカメラ制御部１１は、コネクタ１７を介して、コネクタ接続先以外の無線スレーブ装置端末であるＨＤＤ３０の情報を通知する（Ｓ５２）。
【００７８】
そして、コネクタ１７を介して、コネクタ接続先へ自端末情報を通知し（Ｓ５３）、無線切断要求の検出待ちになる（Ｓ５４）。切断要求を検出すると、全切断かＰＤＡ２０のみ切断かを判断する。全切断時は、非有線端末であるＨＤＤ３０から切断する（Ｓ５６）。非有線端末の全ての切断が終了すると、有線端末であるＰＤＡ２０を切断し（Ｓ５７）、終了する。
【００７９】
次に、上記手順におけるＰＤＡ２０の動作について説明する。
【００８０】
図１０は、ＰＤＡ２０の動作を示すフローチャートである。
【００８１】
有線通信部２６が、コネクタ接続を検出すると（Ｓ６１）、スレーブ装置であるＰＤＡ２０のＰＤＡ制御部２１は、コネクタ２７を介して、コネクタ接続先の無線マスタ装置端末から、コネクタ非接続の無線スレーブ装置であるＨＤＤ３０の情報を受信する（Ｓ６２）。
【００８２】
次に、コネクタを介して、接続先のカメラ１０の情報を受信し（Ｓ６３）、自プロファイルと、Ｓ６２で受信した無線スレーブ装置のプロファイルを比較し、一致するプロファイルがあるかを判別する（Ｓ６４）。Ｆｉｌｅ  Ｔｒａｎｓｆｅｒ  Ｐｒｏｆｉｌｅ  ２８ｃと３８ｃとが一致したので（Ｓ６５）、ＰＤＡ２０からＨＤＤ３０へ、直接無線接続可能であると判断し、コネクタ接続先であるカメラ１０に対し、全無線接続の切断要求を送信する（Ｓ６６）。
【００８３】
コネクタ接続先であるカメラ１０から切断信号を受け、カメラ１０との無線の切断を完了する（Ｓ６７）。そして、Ｓ６２で受信した情報を使い、ＨＤＤ３０に無線接続する（Ｓ６８）。ＨＤＤ３０から接続完了を受け、図２、図４に示す新たな無線リンクを確立する（Ｓ６９）。この場合、カメラ１０側の無線通信部１８とアンテナ１９とへの電源供給は、停止するようにしてもよい。
【００８４】
一方、Ｓ６５で、プロファイルの一致を見なかった場合、ＰＤＡ２０からＨＤＤ３０への直接無線接続は無理であると判断し、カメラ１０側の無線部を動作させたまま残し、ＨＤＤ３０との接続は、カメラ１０に任せ、カメラ１０とＰＤＡ２０との無線リンク切断要求を、カメラ１０に出す（Ｓ６１０）。
【００８５】
コネクタ接続先であるカメラ１０との、無線リンクの切断完了とを受け（Ｓ６１１）、新たなリンク確立を終了する。この場合のリンクは、ＰＤＡ２０とカメラ１０との間が有線接続、カメラ１０とＨＤＤ３０との間が無線接続になり、図２、図４とは構成が異なる。この場合、ＰＤＡ２０側の無線通信部２８と、アンテナ２９とへの電源供給を停止することができる。
【００８６】
なお、上記実施例では、スレーブ情報通知（Ｓ４１）、マスタ情報通知（Ｓ４２）を、有線経由で転送するが、これを無線経由で転送するようにしてもよい。
【００８７】
上記のように、有線接続時は、有線接続したマスタ装置から、有線接続したスレーブ装置に、非有線接続のスレーブ装置端末情報を通知することによって、有線接続スレーブ装置側において、非有線接続スレーブ装置端末との無線接続可能性の判断と接続とが容易になり、また、有線接続によって重複した機能の一方の機能を停止するので、無駄な消費電力を削減することができる。また、マスタ装置が変わる場合でも、今までのマスタ装置からスレーブ装置の情報を受けることにより、速やかに無線接続することができる。
【実施例２】
【００８８】
実施例２の構成は、図１、図３、図５〜図７に示す実施例１の構成と同一であり、その説明を省略する。
【００８９】
本実施例２は、マスタ装置において、ＨＤＤ３０と、カメラ１０、ＰＤＡ２０との間の接続能力を比較する実施例である。つまり、実施例２は、マスタ装置であるカメラ１０が、比較に必要な情報を有線接続するスレーブ装置（ＰＤＡ２０）から入手し、ＰＤＡ２０がＨＤＤ３０と無線接続することが、より望ましい場合は、接続情報をＰＤＡ２０へ通知することを特徴とする実施例である。
【００９０】
次に、実施例２の動作について説明する。
【００９１】
図１１は、実施例２における端末間の通信手順を示すシーケンス図である。
【００９２】
この前提として図１および図３の状態、すなわち３つの端末が無線によって通信しているとする。この状態で、カメラ１０とＰＤＡ２０とが、コネクタ１７、２７を介して、互いに有線接続される。この接続を検出した有線通信部１６、２６は、カメラ制御部１１とＰＤＡ制御部２１とに通知する。
【００９３】
無線通信中のマスタ装置であるカメラ１０のカメラ制御部１１は、有線接続検出通知を受信すると、現在無線によって接続中であるスレーブ装置のＨＤＤ３０に、自端末であるカメラ１０、ＰＤＡ２０のうちのどちらと無線通信することが望ましいかを調べる。これに先立ち、スレーブ装置（ＰＤＡ２０）のパワークラス等の情報を取得する（Ｓ７１）。
【００９４】
比較の結果、ＰＤＡ２０がＨＤＤ３０と無線で接続することが望ましいと判断した場合、ＨＤＤ３０のアドレスとプロファイル情報とを、コネクタ経由で、接続検出したスレーブ装置（ＰＤＡ２０）に通知する（Ｓ７２）。次いで、カメラ１０は、ＨＤＤ３０に対して無線通信の切断を実行し（Ｓ７３）、引きつづき、カメラ１０は、ＰＤＡ２０に対して無線通信の切断を実行する（Ｓ７４）。
【００９５】
切断を受けたＰＤＡ２０は、Ｓ７２において受信したＨＤＤ３０のアドレス、プロファイル情報に基づいて、ＨＤＤ３０に無線接続要求を行う（Ｓ７５）。このときに、マスタ装置は、ＰＤＡ２０であり、スレーブ装置は、ＨＤＤ３０となる。ＨＤＤ３０から、接続完了を受信し（Ｓ７６）、図２、図４に示す接続状態を確立する。なお、コネクタ経由と明記していない場合は、無線経由によって上記通信が実行される。
【００９６】
次に、実施例２において、カメラ１０の動作について説明する。
【００９７】
図１２は、実施例２において、カメラ１０の動作を示す図である。
【００９８】
有線通信部１６が、コネクタ接続を検出すると（Ｓ８１）、マスタ装置であるカメラ１０のカメラ制御部１１は、コネクタ１７を介して、コネクタ接続先の無線スレーブ装置端末であるＰＤＡ２０のパワークラス情報等を取得する（Ｓ８２）。ついで、自端末であるカメラ１０とコネクタ接続先であるＰＤＡ２０の能力を比較する（Ｓ８３）。
【００９９】
図３に示す構成から、プロファイルとしては、カメラ１０、ＰＤＡ２０のどちらも、ＨＤＤ３０と接続することは可能である。無線出力であるパワークラスは、カメラ１０が０ｄＢｍであり、ＰＤＡ２０が１０ｄＢｍであるとすると、ＰＤＡ２０の出力が大きいので、より安定した通信が可能であると判断でき（Ｓ８４）、スレーブ装置ＰＤＡ２０に対して、ＨＤＤ３０情報を通知する（Ｓ８５）。この通知後に、非有線端末であるＨＤＤ３０を切断する（Ｓ８６）。ついで、有線接続端末であるＰＤＡ２０の無線接続を切断し（Ｓ８７）、終了する。
【０１００】
Ｓ８４において、電池残容量、伝送速度等、ＨＤＤ３０に対する接続能力の点で、カメラ１０が、ＰＤＡ２０よりも勝っている場合には、ＰＤＡ２０との無線接続のみを切断し（Ｓ８７）、カメラ１０とＨＤＤ３０との無線接続を維持する。
【０１０１】
次に、実施例２におけるＰＤＡ２０の動作について説明する。
【０１０２】
図１３は、実施例２におけるＰＤＡ２０の動作を示すフローチャートである。
【０１０３】
有線通信部２６が、コネクタ接続を検出すると（Ｓ９１）、スレーブ装置であるＰＤＡ２０のＰＤＡ制御部２１は、コネクタ２７を介して、パワークラス、電池残量等の自端末情報を、カメラ１０に通知する（Ｓ９２）。マスタ装置であるカメラ１０によって、カメラ１０とＰＤＡ２０間の無線接続が切断される（Ｓ９３）。
【０１０４】
Ｓ９３以前に、カメラ１０に無線接続されたスレーブ装置（ＨＤＤ３０）情報を受信していたかどうかを判断し（Ｓ９４）、ＨＤＤ３０情報を受信していた場合は、受信した情報を利用して新たに無線接続要求を、ＨＤＤ３０に送信する（Ｓ９５）。ＨＤＤ３０から接続完了を受け（Ｓ９６）、図２、図４に示す新たな無線リンクを確立する。この場合、カメラ１０側の無線通信部１８、アンテナ１９への電源供給を停止するようにしてもよい。
【０１０５】
一方、Ｓ９４で、スレーブ装置情報を受信していなければ、ＰＤＡ２０からの直接接続は無理であると判断されるので、Ｓ９３で、無線リンクを切断したまま終了する。この場合のリンクは、ＰＤＡ２０とカメラ１０との間が、有線接続であり、カメラ１０とＨＤＤ３０との間が、無線接続であり、図２、図４とは構成が異なる。この場合、ＰＤＡ２０側の無線通信部２８、アンテナ２９への電源供給を停止するようにしてもよい。
【０１０６】
なお、上記実施例２では、Ｓ７１とＳ７２とを有線経由で転送したが、これを無線経由で転送するようにしてもよい。
【０１０７】
上記のように、有線接続時は、有線接続したマスタ装置から、有線接続したスレーブ装置の情報を取得する。その後、無線接続のみのスレーブ装置に、マスタ装置と有線接続スレーブ装置とのうちでいずれかが接続能力が高いかを、マスタ装置が判断し、有線接続スレーブ装置の接続能力が高いと判断した場合、非有線接続のスレーブ装置端末情報を、有線接続スレーブ装置へ通知することによって、有線接続スレーブ装置側による、非有線接続スレーブ装置端末との無線接続が容易となり、また、安定した無線通信を提供することができる。
【図面の簡単な説明】
【０１０８】
【図１】本発明の無線通信システムＣＳ１を示す図である。
【図２】本発明の無線通信装置ＣＳ１１を示す図である。
【図３】実施例１において、各装置の無線通信部が保持し、使用することが可能なプロファイル一覧を示した図である。
【図４】図２に示す無線通信システムＣＳ１１において、カメラ１０ＰとＰＤＡ２０Ｐとが、コネクタを介して、互いに接続され、無線通信を、ＰＤＡ２０Ｐに集約した場合に使用するプロファイルを示す図である。
【図５】無線通信システムＣＳ１におけるカメラ１０の内部構成を示す図である。
【図６】無線通信システムＣＳ１におけるＰＤＡ２０の内部構成を示す図である。
【図７】ＨＤＤ３０の内部構成を示す図である。
【図８】実施例１における動作を示すシーケンス図である。
【図９】カメラ１０の動作を示すフローチャートである。
【図１０】ＰＤＡ２０の動作を示すフローチャートである。
【図１１】実施例２における端末間の通信手順を示すシーケンス図である。
【図１２】実施例２において、カメラ１０の動作を示す図である。
【図１３】実施例２におけるＰＤＡ２０の動作を示すフローチャートである。
【符号の説明】
【０１０９】
ＣＳ１…無線通信システム、
１０…カメラ、
２０…ＰＤＡ、
３０…ＨＤＤ。
【図１】
2005159476.tif 000003
【図２】
2005159476.tif 000004
【図３】
2005159476.tif 000005
【図４】
2005159476.tif 000006
【図５】
2005159476.tif 000007
【図６】
2005159476.tif 000008
【図７】
2005159476.tif 000009
【図８】
2005159476.tif 000010
【図９】
2005159476.tif 000011
【図１０】
2005159476.tif 000012
【図１１】
2005159476.tif 000013
【図１２】
2005159476.tif 000014
【図１３】
2005159476.tif 000015